(57)【特許請求の範囲】
【請求項１】
複数階床をサービスするエレベーターかご、
複数階の乗場に設置され、エレベーターかごを呼び寄せるための乗場呼び釦、
前記エレベーターかご内に設置され、行先階を指示するための行先呼び釦、および
これらの呼び釦に応じて、エレベーターかごを複数階床間に昇降駆動制御する制御装置を備えたエレベーターのセキュリティシステムにおいて、
少なくとも１つの階の乗場に設置され、エレベーター利用許可者が携帯する認証媒体の情報を読出す乗場待ち客認証装置、
前記乗場に設置され、乗場を撮像するカメラと、このカメラの画像情報から乗場待ち客数を算出する画像認識装置を備え、前記乗場待ち客数を検出する乗場待ち客数検出装置、および、
前記乗場待ち客認証装置によって読出された利用許可者の人数と前記乗場待ち客数検出装置によって検出された乗場待ち客数とを比較する比較手段を備え、
前記比較手段が、前記乗場呼び釦によって前記エレベーターかごが呼び寄せられる応答階において、前記乗場待ち客認証装置によって読出された人数よりも、前記乗場待ち客数検出装置によって検出された乗場待ち客数の方が多いと判定したとき、前記エレベーターかごが前記応答階以外の位置にある場合、前記応答階以外の他階へ運転する他階退避運転を行い、前記エレベーターかごの位置が前記応答階である場合、戸閉中であれば前記他階退避運転を行い、戸開中であれば戸開を維持することを特徴とするエレベーターのセキュリティシステム。
【請求項２】
請求項１において、前記認証媒体はＲＦタグであり、前記乗場待ち客認証装置は、前記ＲＦタグの情報を読み出すＲＦＩＤ読み出し装置であることを特徴とするエレベーターのセキュリティシステム。
【請求項３】
請求項１または請求項２において、前記応答階の乗場、エレベーターかご内および／または管理人室へ異常を報知する異常報知手段を備えたことを特徴とするエレベーターのセキュリティシステム。
【発明の詳細な説明】
【技術分野】
【０００１】
本発明は、エレベーターのセキュリティシステムの改良に関する。
【背景技術】
【０００２】
特許文献１には、エレベーター利用者に情報発信器を携帯させ、前記情報発信器から利用者の体重等の個別データを識別装置に伝達し、乗り込んだ利用者の体重を荷重測定装置により検知し、前記伝達された体重データと比較し、一致した場合のみ、エレベーターの運転を許可するセキュリティシステムが開示されている。
【０００３】
また、特許文献２には、個人認証用データ検出部で真正な居住者と認証された乗客数よりも、かご内人数検出装置によるかご内人数が多い場合には、かご内の操作を不可とするセキュリティシステムが開示されている。
【０００４】
さらに、特許文献３には、所定の機器を特殊操作した場合や特定利用者と不審者がエレベーターに同上した時、異常であることを検知する異常検出手段をエレベーターに備え、この異常検出手段の検知信号によってエレベーターを監視する監視センター等の監視施設とエレベーターの乗りかご内とで音声及び映像の双方向通信を開始し監視するエレベーター監視システムが開示されている。
【０００５】
同じく、特許文献４には、かご内のインターホン親機及びかご内モニタ装置と、管理室のインターホン子機と、監視センターの電話機とを備え、建物の住人が携帯する個人認証装置の特定情報を受信するアンテナと、かご内の外来者判断手段と、アンテナで受信される特定情報とに基いて、インターホン親機の通話先とかご内モニタ装置の画像を管理室や監視センターで監視するエレベーターの監視システムが開示されている。
【先行技術文献】
【特許文献】
【０００６】
【特許文献１】特開平１０−１０９８４３号公報
【特許文献２】特開２００６−１６８９３０号公報
【特許文献３】特開２００６−３２７７４６号公報
【特許文献４】特開２０１０−２３９３５号公報
【発明の概要】
【発明が解決しようとする課題】
【０００７】
前述した特許文献１〜４はいずれも、かご内に乗客が乗車した後で、当該エレベーターの利用を許可されていない不審者を検知する方式を採っている。したがって、利用者は、既に、不審者とかご内に同乗しており、仮に戸開状態であっても、乗降戸側以外の三方向を囲まれており、かご外への退避が困難な状況が考えられる。
【０００８】
本発明の目的は、正規の利用者が、かご内に不審者と同乗する危険を未然に防止するエレベーターのセキュリティシステムを提供することにある。
【課題を解決するための手段】
【０００９】
本発明の望ましい実施態様においては、少なくとも１つの階の乗場に設置され、当該エレベーター利用許可者が携帯する認証媒体の情報を読出す認証情報読出装置、前記乗場に設置され、乗場を撮像するカメラと、このカメラの画像情報から乗場待ち客数を算出する画像認識装置を備え、前記乗場待ち客の人数を検出する乗場待ち客数検出装置、および、前記認証情報読出装置によって読出された人数と前記乗場待ち客数検出装置によって検出された乗場人数とを比較する比較手段を備え、前記比較手段が、前記乗場呼び釦によって前記エレベーターかごが呼び寄せられる応答階において、前記認証情報読出装置によって読出された人数よりも、前記乗場待ち客数検出装置によって検出された乗場待ち客数の方が多いと判定したとき、前記エレベーターかごが前記応答階以外の位置にある場合、前記応答階以外の他階へ運転する他階退避運転を行い、前記エレベーターかごの位置が前記応答階である場合、戸閉中であれば前記他階退避運転を行い、戸開中であれば戸開を維持することを特徴とする。
【００１１】
本発明の望ましい実施形態においては、前記認証情報は、ＲＦタグの情報をＲＦＩＤ読み出し装置で読み出す。
【００１２】
さらに、本発明の具体的な実施形態においては、エレベーターの使用を抑制するとき、前記応答階の乗場、エレベーターかご内および／または管理人室へ異常を報知する異常報知手段を備える。
【発明の効果】
【００１３】
本発明によれば、かご内乗車前に不審者の存在を判断できるため、かご内に不審者と同乗する機会を減らし、危険に遭遇する可能性を減らすことができる。
【００１４】
本発明のその他の目的と特徴は、以下の実施例の説明の中で明らかにする。
【図面の簡単な説明】
【００１５】
【図１】本発明の一実施例によるエレベーターのセキュリティシステムを適用したエレベーターの概略全体構成図である。
【図２】本発明の一実施例によるエレベーターのセキュリティシステムを適用したエレベーターの概略制御機能ブロック図である。
【図３】本発明の一実施例によるセキュリティシステムの処理フローである。
【発明を実施するための形態】
【００１６】
以下、本発明の一実施例によるエレベーターのセキュリティシステムを図面に基づき説明する。
【００１７】
本実施例におけるエレベーターシステムは、図１に示すように、昇降路を昇降するかご１と、ロープ２を駆動してかご１を昇降させる電動機３と、それらを総合的に制御せしめるエレベーター制御装置４とを有している。この制御装置４内には、図示しないマイコン基盤を搭載し、各機器との信号入出力処理および通信処理機能を有しており、かご側制御装置５や、乗場側制御装置８等の周辺機器を制御する。また、かご上には、ドア開閉等を制御するかご側制御装置５とドアモータ６があり、このかご側制御装置５と制御盤４間は、テールコード７にて通信し、信号のやり取りを行なう。乗場には、乗場側制御装置８の中に乗場呼び釦８５があり、かご１を当該階へ呼寄せることができる。
【００１８】
当該エレベーターの利用許可者は、予め個人認証用のＲＦタグ９を携帯する。このＲＦタグ９内の情報は、少なくとも個人認証用のコードが書き込まれている。この個人認証用のＲＦタグ９は、ＲＦタグに限らず、その他のいかなる認証方法による認証媒体でも良く、利用許可階や体重［Ｋｇ］等、エレベーターの使用ログ記録やエレベーター制御用の情報を書き込んでも良い。
【００１９】
エレベーターの所定階には、乗場待ち客の常時携帯する認証媒体としてのＲＦタグ９の情報を読み出す乗場待ち客認証装置１０として、ＲＦＩＤ情報リード／ライト装置を設置している。読み出された同情報は、テールコード７を介してエレベーター制御装置４に伝達される。この伝達情報は、予め記録された当該エレベーター利用者の個人認証情報格納用データベース１１内にあるデータと照合して、利用許可者か否かの個人認証を行う。
【００２０】
同じく同階には、乗場待ち客数検出装置として、撮像カメラと画像処理装置の組合せにより待ち客数を解析できる画像解析装置１２を設置しており、この解析結果も同様にエレベーター制御装置４に伝達される。
【００２１】
これら情報を基に、エレベーター制御装置４では、ＲＦタグ９を携帯した人数よりも、画像解析による乗場待ち客数が多い場合、当該エレベーターの利用不許可者すなわち不審者１３が存在すると判定して、エレベーターの使用を抑制する。
【００２２】
エレベーターの使用抑制としては、かごが走行中の場合は、当該階へのサービス応答を禁止する。また、減速及び戸閉停止中の場合は、戸閉のまま他階へ退避運転して、かご内乗客と不審者１３のかご内への同乗を阻止する。
【００２３】
この不審者１３の存在を、図示しない当該乗場へのアナウンスや表示等にて乗場待ち客へ知らせ注意を促す。また、当該エレベーター利用者のみが判断できる乗場ランプ点滅等にて、不審者１３に気づかれない方法で知らせる手段としても良い。
【００２４】
その他、乗場には、正規の利用者と連れ立った友人等のＲＦタグ不携帯者が乗車する場合の配慮として、テンキーによる不審者検知解除用の暗号装置１４を設置する。
【００２５】
また、乗場待ち客数検出装置として、前記画像解析装置１２の代わりに、乗場床下に設置した荷重検出装置１５を使用した場合は、荷重検出装置１５の測定を確実にするため、図１に示すように、乗場に待機位置を枠１６等で示し、当該エレベーター利用者に、エレベーター使用ルールとして、周知徹底させる。正規利用者は、この待機枠１６外で待機している者を、当該エレベーター利用許可者以外の不審者１３と判断し、かごへの同乗を回避することもできる。
【００２６】
図２は、本発明の一実施例によるエレベーターのセキュリティシステムを適用したエレベーターの概略制御機能ブロック図である。
【００２７】
本実施例における制御ブロック内容は、エレベーター制御装置４に、エレベーターを運転制御するためのエレベーター運転制御手段４１が備えられ、この制御装置４１は、ＭＰＵを主体として構成され、少なくとも、ＲＡＭ領域及びＲＯＭ領域から成る図示しない記憶部を備えている。このＭＰＵは、図１の駆動電動機３を制御し、乗場呼び釦８及び図示しないかご呼び釦の登録状態に応じて、かごを昇降運転させる。
【００２８】
また、乗場待ち客が、当該エレベーター利用可能者か否かを判断する手段として、乗場設置のＲＦＩＤ装置１０からの情報から乗場待ち人数を算出する制御と、その他、利用者の追加等に応じて、携帯するＲＦタグ情報の書き換えおよび同情報を個人認証データベースへ格納する制御を有するＲＦＩＤデータ制御手段４２がある。
【００２９】
また、不審者検知手段として、乗場設置の画像解析人数情報に対し、前記ＲＦタグ携帯者人数とを比較判定し、当該エレベーターの利用不許可者の存在を判定する不審者検知判定手段４３がある。
【００３０】
さらに、前記不審者検知手段にて、不審者の存在有りと判定した場合、当該エレベーターへの停止禁止や他階退避運転、外部への異常発報等、不審者が存在する場合の対応を決定し、エレベーターを総合的に運転させるエレベーター運転制御手段４１へ制御指令する不審者対応制御手段４４がある。
【００３１】
かご側制御装置５は、エレベーター制御装置４の戸開閉指令に応じて、ドアモータ６を駆動して、戸の開閉を行なうドア制御手段５１と、行き先釦，戸開閉釦，照明，信号灯，および放送等の入出力を行なうかご側の各種信号制御手段５２と、かご内の案内手段５３がある。
【００３２】
エレベーター制御装置４にて、不審者１３の存在ありと判断した場合は、まず、かご側制御装置５に対して、戸開閉制御およびかご呼び釦登録等のかご内の一切の制御を禁止する。次に、不審者検知階以外の階にて、何れの階に不審者１３が居るかを表示及び放送にて案内する。さらに、同時に、全戸開にて待機状態を維持し、以降、一定時間、サービスを休止とする。
【００３３】
乗場側制御装置８は、通常、乗場信号制御手段８１により、乗場釦，乗場案内表示，信号灯，および放送等の入出力を行う。乗場には、少なくとも一箇所以上の階にＲＦＩＤ情報読み／書き装置８２（図１では、符号１０）を設置し、同装置にて読み出した待ち客のＲＦＩＤ情報をエレベーター制御装置４へ伝達する制御の外に、予め、当該エレベーターの利用を許可された利用者が携帯するＲＦタグ９に情報を書き込む作業を受け持っている。
【００３４】
また、このＲＦＩＤ情報読み／書き装置８２の設置階には、待ち客の人数を画像解析により判定する画像解析装置１２より得た情報を基に、待ち客人数を求める待ち客画像解析手段８３がある。
【００３５】
乗場側制御装置８には、そのほか、本発明による不審者検知を解除する手段として、乗場に設けたテンキー操作等に応じて、当該乗場での不審者検知を解除状態に切替える不審者検知解除用の暗号入力手段８４が配置されている。
【００３６】
図３は、本発明の一実施例によるセキュリティシステムの処理手順を示すフローチャートである。
【００３７】
ここで、図３を参照して、本実施例におけるセキュリティシステムの動作例を説明する。まず、ステップ３０１にて、乗場に設置した何らかの不審者検知の解除操作があるか判定する。この検知解除操作は、本発明の一実施例として乗場設置の不審者検知解除用の暗号入力装置１４により、テンキー入力数字の暗号操作組合せ条件成立に応じて不審者検知を行わないようするものである。すなわち、通常、当該エレベーター許可者に対し携帯させているＲＦタグ９を持たない友人等と連れだってのエレベーター利用を、エレベーター利用許可者の判断で可能とするものである。なお、解除操作の方法は、生体認証装置や磁気ＩＣカードリーダ等の何れかのセキュリティ解除条件成立で許可することとしても良い。この何れかの解除条件成立信号は、エレベーター制御装置４へ伝達され、当該乗場における不審者検知を解除する。
【００３８】
ステップ３０２では、応答階乗場のＲＦタグ９の情報を読み取る。読み取り情報は、エレベーター制御装置４へ伝達され、予め記録しているＲＦＩＤ登録情報と読み出し情報を照合し、当該エレベーター乗車許可者か否かを判定し、かつ当該エレベーターへの搭乗許可人数を推定する。
【００３９】
また、ステップ３０３にて、当該階乗場の撮像カメラと画像処理装置の組合せにより待ち客数を算出する。ステップ３０４では、ステップ３０２及びステップ３０３にて求めたエレベーター乗車許可人数より画像解析人数の方が多い場合は、該当階の乗場に不審者１３が存在するものと判断する。また、前述したように、乗場画像解析の代わりに荷重検出装置１５とした場合は、乗場待ち客の総重量［Ｋｇ］と、予め乗客に携帯させるＲＦタグ９に書き込まれた、各個人の体重［Ｋｇ］の総和とを比較し、乗場待ち客の重量が上回った場合、当該エレベーターの利用不許可者の存在を検知できる。この際に、測定した個人の体重［Ｋｇ］データは、ＲＦＩＤ装置１０から、エレベーター制御装置４を介して個人情報格納用データベース１１に記録される。
【００４０】
不審者有りと判定した場合は、ステップ３０５にて、かごの現在位置を判定する。かごが応答階以外の位置にあれば、ステップ３０７に飛んで、応答階以外の他階へ運転して戸開する他階退避運転を実行する。すなわち、エレベーターが応答階以外にいる場合、不審者のいる階以外に停止させ、不審者との遭遇を回避させる。
【００４１】
一方、ステップ３０５にて、かごの現在位置が応答階であった場合には、ステップ３０６にて、応答階における戸開状態を判定する。戸閉中であれば、ステップ３０７にて戸閉維持のまま他階へ退避運転を行う。すなわち、不審者のいる階へ減速停止する場合、または、既に停止して戸閉待機の場合は、戸閉維持のまま他階へ退避運転を行うのである。万が一、不審者のいる階で戸開中の場合は、ステップ３０８にて、そのまま戸の全開を維持し、戸閉による密閉状態を回避する。この際、かご内の戸閉釦を無効にする。
【００４２】
不審者検知と同時にステップ３０９にて、異常発生の旨を乗場待機者、かご内乗車者、当該建物利用階および管理者や警備会社への報知を行う。不審者と同一階の乗場待機者への異常報知は、不審者の逆上行動を回避するため、当該エレベーター利用許可者のみが知りうる当該乗場への信号表示・ランプ等、不審者に気づかれない程度の案内を行う。この不審者検知によるエレベーター制御のサービス抑制または禁止は、同検知より３分間維持させる。およそ３分あれば、不審者からの退避行動も完了しているとして、ステップ３１０での計時後に、本セキュリティシステムの処理を終了して、エレベーターのサービスを再開させる。この３分間は、当該エレベーターの顧客要求に合わせて、管理人等による解除操作があるまで継続するとしても良い。
【符号の説明】
【００４３】
１…かご、２…ロープ、３…電動機、４…エレベーター制御装置、５…かご側制御装置、６…ドア制御用モータ、７…テールコード、８…乗場側制御装置、８５…乗場呼び釦、９…エレベーター利用許可者が携帯する個人認証媒体（ＲＦタグ等）、１０…乗場待ち客認証装置（ＲＦＩＤリード／ライト装置等）、１１…個人認証情報格納用データベース、１２…画像解析装置（乗場待ち客数検出装置）、１３…不審者（エレベーター利用不許可者：ＲＦタグ不携帯者)、１４…暗号入力装置（不審者検知解除用）、１５…荷重検出装置（乗場待ち客数検出装置）、１６…乗場待ち客待機位置枠（待ち客検知範囲）。
【図１】
0005806916.tif 000002
【図２】
0005806916.tif 000003
【図３】
0005806916.tif 000004